(57)【要約】【課題】比較的どのような形状の椅子にも用いることができ、手軽にストレッチ運動を可能とする。【解決手段】  円柱形の中軸部と、円柱形であって、端面間の貫通穴である中空部が設けられた複数の第一部材と、前記第一部材の外周よりも小さい外周の円柱形であって、端面間の貫通穴である中空部が設けられた複数のスペーサーと、を有し、前記スペーサーは、前記第一部材同士の間に配置され、前記中軸部は、前記第一部材および前記スペーサーの前記中空部に挿入されている。【選択図】図１
2020096714.tif 000002
【特許請求の範囲】
【請求項１】
円柱形の中軸部と、
円柱形であって、端面間の貫通穴である中空部が設けられた複数の第一部材と、
前記第一部材の外周よりも小さい外周の円柱形であって、端面間の貫通穴である中空部が設けられた複数のスペーサーと、を有し、
前記スペーサーは、前記第一部材同士の間に配置され、
前記中軸部は、前記第一部材および前記スペーサーの前記中空部に挿入されている
ことを特徴とする健康器具。
【請求項２】
請求項１に記載の健康器具であって、
略円半球形の第二部材をさらに有し、
前記スペーサーは、さらに前記第一部材と前記第二部材との間に配置され、
前記中空部に挿入された前記中軸部の両端に前記第二部材が取り付けられた構造である
ことを特徴とする健康器具。
【請求項３】
請求項２に記載の健康器具であって、
前記中軸部は、凸部を両端に有し、
前記第二部材は、隣接する前記スペーサーとの接触面である内側端面に凹部を有し、
前記凸部と前記凹部とが嵌め合わせられることで前記中軸部の両端に前記第二部材が取り付けられている
ことを特徴とする健康器具。
【請求項４】
請求項１に記載の健康器具であって、
円柱形の第二部材をさらに有し、
前記中空部に挿入された前記中軸部の両端に前記第二部材が取り付けられた構造である
ことを特徴とする健康器具。
【請求項５】
請求項１に記載の健康器具であって、
前記第一部材、前記スペーサーおよび前記中軸部は、外周形状が略楕円の楕円柱形である
ことを特徴とする健康器具。
【請求項６】
請求項２に記載の健康器具であって、
前記第二部材は、楕円半球形である
ことを特徴とする健康器具。
【請求項７】
請求項４に記載の健康器具であって、
前記第二部材は、外周形状が略楕円の楕円柱形である
ことを特徴とする健康器具。
【請求項８】
請求項５に記載の健康器具であって、
前記第一部材、前記スペーサーおよび前記中軸部は、長軸方向が一致している
ことを特徴とする健康器具。
【請求項９】
請求項２に記載の健康器具であって、
前記中軸部、前記第一部材および前記第二部材の材質に比べ、前記スペーサーは、摩擦が小さく硬い材質を用いて形成されている
ことを特徴とする健康器具。
【請求項１０】
請求項１〜９のいずれか一項に記載の健康器具であって、
前記中軸部は、
健康器具の使用時に生じる曲げの引張応力および引裂き応力に応じて変形する柔軟性を備えた材質を用いて形成されている
ことを特徴とする健康器具。
【発明の詳細な説明】
【技術分野】
【０００１】
本発明は、健康器具に関するものである。
【背景技術】
【０００２】
着座時に発生する身体の不具合を解消するものとして、例えば特許文献１に記載の技術がある。
【先行技術文献】
【特許文献】
【０００３】
【特許文献１】特開２００７−２０２８６２号公報
【発明の概要】
【発明が解決しようとする課題】
【０００４】
特許文献１に記載の技術は専用の椅子を用いるものである。従って、既に所有する椅子や、自動車等の備え付けの椅子には使用できない。
【０００５】
本発明は、上記課題に鑑みてなされたものであり、どんな椅子でも手軽にストレッチ運動を可能とする健康器具の提供を目的とする。
【課題を解決するための手段】
【０００６】
本願は、上記課題の少なくとも一部を解決する手段を複数含んでいるが、その例を挙げるならば、以下のとおりである。上記の課題を解決する本発明の一態様に係る健康器具は、円柱形の中軸部と、円柱形であって、端面間の貫通穴である中空部が設けられた複数の第一部材と、前記第一部材の外周よりも小さい外周の円柱形であって、端面間の貫通穴である中空部が設けられた複数のスペーサーと、を有し、前記スペーサーは、前記第一部材同士の間に配置され、前記中軸部は、前記第一部材および前記スペーサーの前記中空部に挿入されている。
【０００７】
また、前記健康器具は、略円半球形の第二部材をさらに有し、前記スペーサーは、さらに前記第一部材と前記第二部材との間に配置され、前記中空部に挿入された前記中軸部の両端に前記第二部材が取り付けられた構造であっても良い。
【０００８】
また、前記中軸部は、凸部を両端に有し、前記第二部材は、隣接する前記スペーサーとの接触面である内側端面に凹部を有し、前記凸部と前記凹部とが嵌め合わせられることで前記中軸部の両端に前記第二部材が取り付けられていても良い。
【０００９】
また、健康器具は、円柱形の第二部材をさらに有し、前記中空部に挿入された前記中軸部の両端に前記第二部材が取り付けられた構造であっても良い。
【００１０】
また、前記第一部材、前記スペーサーおよび前記中軸部は、外周形状が略楕円の楕円柱形であっても良い。
【００１１】
また、前記第二部材は、楕円半球形であっても良い。
【００１２】
また、前記第二部材は、外周形状が略楕円の楕円柱形であっても良い。
【００１３】
また、前記第一部材、前記スペーサーおよび前記中軸部は、長軸方向が一致していても良い。
【００１４】
また、前記中軸部、前記第一部材および前記第二部材の材質に比べ、前記スペーサーは、摩擦が小さく硬い材質を用いて形成されていても良い。
【００１５】
また、前記中軸部は、健康器具の使用時に生じる曲げの引張応力および引裂き応力に応じて変形する柔軟性を備えた材質を用いて形成されていても良い。
【発明の効果】
【００１６】
本発明の一態様に係る健康器具によれば、比較的どのような形状の椅子にも用いることができ、手軽にストレッチ運動を可能とする。
【図面の簡単な説明】
【００１７】
【図１】本発明の一実施形態に係る健康器具の一例に関する図である。図１（ａ）は、健康器具の正面図である。図１（ｂ）は、健康器具を正面右側から見た側面図である。図１（ｃ）は、健康器具を上側から見た平面図である。
【図２】本発明の一実施形態に係る健康器具の軸中心Ｏを通る上下方向の断面図である。
【図３】本発明の一実施形態に係る第一部材の一例に関する図である。図３（ａ）は、第一部材の正面図である。図３（ｂ）は、第一部材を正面右側から見た側面図である。図３（ｃ）は、第一部材を上側から見た平面図である。
【図４】本発明の一実施形態に係るスペーサーの一例に関する図である。図４（ａ）は、スペーサーの正面図である。図４（ｂ）は、スペーサーを正面右側から見た側面図である。図４（ｃ）は、スペーサーを上側から見た平面図である。
【図５】本発明の一実施形態に係る第二部材の一例に関する図である。図５（ａ）は、第二部材の正面図である。図５（ｂ）は、第二部材を正面右側から見た側面図である。図５（ｃ）は、第二部材を上側から見た平面図である。図５（ｄ）は、第二部材を正面左側から見た側面図である。
【図６】本発明の一実施形態に係る中軸部の一例を示した図である。図６（ａ）は、中軸部の正面図である。図６（ｂ）は、図６（ａ）に示すＡ−Ａ切断部の端面図である。図６（ｃ）は、中軸部を上側から見た平面図である。図６（ｄ）は、中軸部の凸部を正面右方向から見た側面図である。
【図７】椅子に座った状態で健康器具を使用した場合の一例を示した図である。図7（ａ）は、健康器具１００を縦向きに使用する場合を示し、使用者が背当てにあまり寄りかからない姿勢における健康器具１００の状態を示した図である。図７（ｂ）は、健康器具１００を縦向きに使用する場合を示し、使用者が背当てに体重をかけて寄りかかった姿勢における健康器具１００の状態を示した図である。図７（ｃ）は、健康器具１００を横向きに使用する場合を示し、使用者が背当てに体重をかけて寄りかかった姿勢における健康器具１００の状態を示した図である。
【図８】本発明の一実施形態に係る健康器具を曲げた状態の一例を示した図である。
【図９】本発明の他の実施形態に係る健康器具に関する図である。図９（ａ）は、健康器具の正面図である。図９（ｂ）は、健康器具を正面右側から見た側面図である。図９（ｃ）は、健康器具を上側から見た平面図である。
【図１０】本発明の他の実施形態に係る健康器具の軸中心Ｏを通る上下方向の断面図である。
【図１１】本発明の他の実施形態に係る中軸部の一例に関する図である。図１１（ａ）は、中軸部の正面図である。図１１（ｂ）は、中軸部を正面右側から見た側面図である。図１１（ｃ）は、中軸部を上側から見た平面図である。
【図１２】本発明の他の実施形態に係る第二部材の一例に関する図である。図１２（ａ）は、第二部材の正面図である。図１２（ｂ）は、第二部材を正面右側から見た側面図である。図１２（ｃ）は、第二部材を上側から見た平面図である。図１２（ｄ）は、第二部材を正面左側から見た側面図である。
【発明を実施するための形態】
【００１８】
以下、本発明の各実施形態について図面を用いて説明する。
【００１９】
＜第一実施形態＞
図１は、本実施形態に係る健康器具１００の一例に関する図である。具体的には、図１（ａ）は、健康器具１００の正面図である。図１（ｂ）は、健康器具１００を正面右側から見た側面図である。図１（ｃ）は、健康器具１００を上側から見た平面図である。図２は、健康器具１００の軸中心Ｏを通る面における断面図である。
【００２０】
これらの図に示すように、健康器具１００は、中軸部１０と、複数の第一部材２０と、複数のスペーサー３０と、一対の第二部材４０とから構成されている。所定厚みの略楕円形をした第一部材２０およびスペーサー３０には、外周楕円の中心を含む領域に軸方向の貫通穴である中空部５０、６０が設けられている。略楕円半球状の第二部材４０には、スペーサー３０との隣接面である内側端面に略楕円球状の凹部７０が設けられている。
【００２１】
健康器具１００は、このような第一部材２０およびスペーサー３０の中空部５０、６０に中軸部１０が挿入され、中軸部１０の両端に設けられている略楕円球状の凸部１２が第二部材４０の凹部７０に嵌め合わせられた構造となっている。
【００２２】
このような健康器具１００は、スペーサー３０の働きにより、隣接する第一部材２０の対向する端面同士の間の外周近傍や、第一部材２０の端面の外周近傍と対向する第二部材４０の端面の最外周近傍との間に隙間Ｌが形成されている。これにより、健康器具１００は、両端を近づける方向に曲げる（撓らせる）ことが容易となり、撓りが良くなる。また、このような特性を有する健康器具１００は、比較的どのような形状の椅子にもフィットし、ストレッチ効果が増すという効果を得ることができる。
【００２３】
なお、第一部材２０およびスペーサー３０の個数は限定されるものではなく、ストレッチ効果を得ることができる最適な個数を有していれば良い。
【００２４】
以下、健康器具１００を構成する各部を詳細に説明する。
【００２５】
図３は、第一部材２０の一例に関する図である。具体的には、図３（ａ）は、第一部材２０の正面図である。図３（ｂ）は、第一部材２０を正面右側（または正面左側）から見た側面図である。図３（ｃ）は、第一部材２０を上側から見た平面図である。図示するように、第一部材２０は、外周が略楕円の楕円柱であり、外周楕円の中心を含む領域に第一部材２０を軸方向に貫通する略楕円の中空部５０を有している。中空部５０は、中心が第一部材２０の外周楕円の中心と一致する位置または中心近傍であって、長軸が第一部材２０の外周楕円の長軸方向と一致する向きに形成されている。
【００２６】
第一部材２０の寸法は、外周楕円の長軸が約１０ｃｍ、短軸が約８ｃｍである。また、第一部材２０の厚み、すなわち中空部５０に挿入される中軸部１０の軸方向の長さが約５ｃｍである。また、中空部５０の長軸および短軸の寸法は、中軸部１０を挿入可能な任意の寸法（例えば、長軸約３．９ｃｍ、短軸約２．９ｃｍ）である。なお、これらの寸法は一例であって、特に限定されるものではなく、使用者の体型や使用目的に応じて適宜設定されれば良い。
【００２７】
第一部材２０の素材・材料は特に限定されないが、弾力性や柔軟性があり、かつ軽量のものが好ましい。例えば、第一部材２０の素材・材料には、ＥＶＡ（Ｅｔｈｙｌｅｎｅ  Ｖｉｎｙｌ  Ａｃｅｔａｔｅ  Ｃｏｐｏｌｙｍｅｒ）樹脂などが用いられる。
【００２８】
なお、ストレッチ効果を高めるために、比較的硬度が高く柔軟性の低いものを第一部材２０の素材・材料に用いても良い。この場合の第一部材２０の素材・材料には、例えばオレフィン系樹脂の発泡ポリエチレンなどが用いられる。
【００２９】
図４は、スペーサー３０の一例に関する図である。具体的には、図４（ａ）は、スペーサー３０の正面図である。図４（ｂ）は、スペーサー３０を正面右側から見た側面図である。図４（ｃ）は、スペーサー３０を上側から見た平面図である。図示するように、スペーサー３０は、外周が略楕円であって厚みの薄い楕円柱であり、外周楕円の中心を含む領域にスペーサー３０を軸方向に貫通する略楕円の中空部６０を有している。また、中空部６０は、中心がスペーサー３０の外周楕円の中心と一致する位置または中心近傍に形成され、長軸がスペーサー３０の外周楕円の長軸方向と一致する向きに形成されている。
【００３０】
スペーサー３０の寸法は、第一部材２０の厚みに比べてごく薄く、第一部材２０の最外周および第二部材４０の最外周よりも一回り小さく形成されている。具体的には、スペーサー３０の寸法は、外周楕円の長軸が約７．５ｃｍ、短軸が約５．５ｃｍである。また、スペーサー３０の厚み、すなわち中空部５０に挿入される中軸部１０の軸方向の長さが約０．５ｃｍである。また、中空部５０の長軸および短軸の寸法は、中軸部１０を挿入可能な任意の寸法（例えば、長軸約３．９ｃｍ、短軸約２．９ｃｍ）である。
【００３１】
なお、これらの寸法は一例であって、特に限定されるものではないが、スペーサー３０の長軸および短軸の長さは、第一部材２０の端面の長軸および短軸の長さおよび第二部材４０の内側端面の長軸および短軸の長さよりも短いことが好ましい。第一部材２０の対向する端面同士の間の外周近傍や、第一部材２０の端面の外周近傍と第二部材４０の端面の最外周近傍との間に隙間Ｌを形成させるためである。
【００３２】
スペーサー３０の素材・材料は特に限定されないが、例えば軽量かつポリプロピレンよりも軟らかさのあるＰＥ（Ｐｏｌｙｅｔｈｙｌｅｎｅ）樹脂が用いられる。
【００３３】
図５は、第二部材４０の一例に関する図である。具体的には、図５（ａ）は、第二部材４０の正面図である。図５（ｂ）は、第二部材４０を正面右側から見た側面図である。図５（ｃ）は、第二部材４０を上側から見た平面図である。図５（ｄ）は、第二部材４０を正面左側から見た側面図である。図示するように、第二部材４０は、略楕円の半球形であり、スペーサー３０との隣接面である内側端面には、最外周の中心と一致する位置または中心近傍に略楕円球状の凹部７０が形成されている。凹部７０は、略楕円球のため、第二部材４０の内部よりも内側端面における入り口付近が狭くなっている。このような凹部７０の形状により、中軸部１０の凸部１２が凹部７０に嵌め合わせられた際、中軸部１０から第二部材４０が抜け難くなっている。
【００３４】
第二部材４０の寸法は、内側端面における長軸が約１０ｃｍ、短軸が約８ｃｍである。また、楕円半球の放物線の頂点Ｐから内側端面までの垂線長さは約５ｃｍである。また、略楕円球状の凹部７０は、内側端面における入り口の長軸が約３．５ｃｍ、短軸が約２．５ｃｍである。また、凹部７０の長軸および短軸の最長部の長さは各々、約６ｃｍと約４ｃｍである。なお、これらの寸法は一例であって、特に限定されるものではない。
【００３５】
第二部材４０の素材・材料は特に限定されないが、第一部材２０と同様、弾力性や柔軟性があり、かつ軽量のものが好ましい。例えば、第二部材４０の素材・材料には、ＥＶＡ（Ｅｔｈｙｌｅｎｅ  Ｖｉｎｙｌ  Ａｃｅｔａｔｅ  Ｃｏｐｏｌｙｍｅｒ）樹脂などが用いられる。
【００３６】
また、ストレッチ効果を高めるために、第一部材２０と同様、比較的硬度が高く柔軟性の低いものを第二部材４０の素材・材料に用いても良い。この場合の第二部材４０の素材・材料には、例えばオレフィン系樹脂の発泡ポリエチレンなどが用いられる。
【００３７】
図６は、中軸部１０の一例を示した図である。具体的には、図６（ａ）は、中軸部１０の正面図である。図６（ｂ）は、図６（ａ）に示すＡ−Ａ切断部の端面図である。図６（ｃ）は、中軸部１０を上側から見た平面図である。図６（ｄ）は、中軸部１０の凸部１２を正面右方向から見た側面図である。図示するように、中軸部１０は、外周が略楕円である楕円柱の芯部１１と、芯部１１の両端に位置する略楕円球形の凸部１２とを有している。
【００３８】
中軸部１０の寸法は、芯部１１の外周楕円の長軸が約４ｃｍ、短軸が約３ｃｍであり、軸方向の長さが約３２．５ｃｍである。また、凸部１２は、楕円球の長軸が約６．５ｃｍ、短軸が約４．５ｃｍである。また、凸部１２の軸方向の端点Ｑから芯部１１の端までの垂線距離が約６ｃｍである。なお、これらの寸法は一例であって、特に限定されるものではない。
【００３９】
中軸部１０の素材・材料などは特に限定されないが、使用時の曲げによる引張応力や引裂き応力が発生するため、これらの変形に強い素材を用いることが好ましい。例えば、中軸部１０の素材・材料には、ＥＶＡ（Ｅｔｈｙｌｅｎｅ  Ｖｉｎｙｌ  Ａｃｅｔａｔｅ  Ｃｏｐｏｌｙｍｅｒ）樹脂などが用いられる。
【００４０】
このような健康器具１００は、第一部材２０およびスペーサー３０の略楕円の中空部５０、６０における長軸および短軸の向きと、中軸部１０の略楕円の芯部１１における長軸および短軸の向きとが一致するように、中空部５０、６０に芯部１１が挿入される。また、凸部１２が第二部材４０の凹部７０に嵌め込まれることにより、一対の第二部材４０同士の間に第一部材２０とスペーサー３０とが挟み込まれて固定される。
【００４１】
次に、健康器具１００の使用例を説明する。図７は、椅子に座った状態で健康器具１００を使用した場合の一例を示した図である。具体的には、図７（ａ）は、健康器具１００を縦向きに使用する場合を示し、使用者が背当てにあまり寄りかからない姿勢における健康器具１００の状態を示した図である。図７（ｂ）は、健康器具１００を縦向きに使用する場合を示し、使用者が背当てに体重をかけて寄りかかった姿勢における健康器具１００の状態を示した図である。図７（ｃ）は、健康器具１００を横向きに使用する場合を示し、使用者が背当てに体重をかけて寄りかかった姿勢における健康器具１００の状態を示した図である。
【００４２】
図７（ａ）、（ｂ）に示すように、健康器具１００の使用形態の一つは、使用者の背中と椅子の背当てとの間に健康器具１００の軸方向を、使用者の脊柱近傍に沿わせるようにして縦向きに使用する。また、図７（ｃ）に示すように、健康器具１００の他の使用形態の一つは、健康器具１００の軸方向を、使用者の背骨に対して垂直方向に寝かせ、使用者の首や背中あるいは腰などが押し当てられるように使用する。なお、上記のように、使用者の背中に接する第一部材２０は楕円柱であるが、この長軸方向および短軸方向を使用者の背中に対して垂直とするか平行とするかは使用者の好みや体型などに応じて使用者が適宜決めれば良い。
【００４３】
健康器具１００は、スペーサー３０の働きにより、隣接する第一部材２０の対向する端面同士の間の外周近傍や、第一部材２０の端面の外周近傍と対向する第二部材４０の端面の最外周近傍との間に隙間Ｌが形成されている。そのため、図７（ｂ）に示すような使用者の姿勢であっても、健康器具１００は使用者の体型、姿勢および椅子の形状などに応じて撓るため、ストレッチ効果を増大させることができる。
【００４４】
図８は、健康器具１００を曲げた状態の一例を示した図である。例えば、曲げていない状態の健康器具１００（例えば、図１に示す健康器具１００）では、第一部材２０の両端面がスペーサー３０の端面全体に接している。これに対し、図８に示すように、曲げた状態の健康器具１００では、第一部材２０の端面において、隣接するスペーサー３０との接触位置が軸中心から外周方向へ移動する。
【００４５】
このように、健康器具１００は、第一部材２０同士の間や、第一部材２０と第二部材４０との間にスペーサー３０を介在させ、隣接する第一部材２０の対向する端面同士の間の外周近傍や、第一部材２０の端面の外周近傍と対向する第二部材４０の内側端面の最外周近傍との間に隙間Ｌを形成することで曲げが容易となり、撓りが良くなるという効果がある。
【００４６】
また、健康器具１００は、第一部材２０およびスペーサー３０の略楕円の中空部５０、６０における長軸および短軸の向きと、中軸部１０の略楕円の芯部１１における長軸および短軸の向きとが一致するように、中空部５０、６０に芯部１１が挿入されている。これにより、健康器具１００は、特定の方向に対してより撓り易く、曲げ易くなっている。
【００４７】
また、第一部材２０および第二部材４０は、比較的軟らかく摩擦が大きい素材・材質で形成されているため、接触面同士が滑り難く、そのままでは曲がり難い。そこで、健康器具１００は、これらの素材・材質に比べて比較的硬く摩擦が小さい素材・材質のスペーサー３０を第一部材２０の間や、第一部材２０と第二部材４０との間に挟み込んでいる。これにより、健康器具１００は、第一部材２０同士や第一部材２０と第二部材４０との摩擦を低減させることができ、より曲がり易くなっている。
【００４８】
このような健康器具１００の構造は、背当てに荷重をかけると背当てが倒れて座面と背当てとの角度が開き、荷重をかけるのを止めると背当て位置が元に戻るようなリクライニング機能がある椅子や背当てに凹凸などがある場合には特に有効である。
【００４９】
また、健康器具１００の両端は、先端が放物線状に丸くなっている第二部材４０が取り付けられている。また、第二部材４０は、第一部材２０と同様、クッション性のある柔らかい素材・材料で形成されているため、身体にぶつかっても痛くなく、使用時の安全性を確保することができる。
【００５０】
また、第一部材２０や第二部材４０は、外周が略楕円の形状をしているため、脊柱に沿った狭い範囲を重点的にストレッチしたい場合と、脊柱に沿った広い範囲を重点的にストレッチしたい場合とで身体に押し当てる向きを変えることで使用者の好みに応じたストレッチ効果を提供することができる。
【００５１】
また、図８に示すように、健康器具１００を曲げると、第一部材２０や第二部材４０とスペーサー３０とが接触する側とは反対側（伸びる側）の隙間Ｌが大きくなる。この隙間に露出した第一部材２０端面の外周近傍におけるエッジ部分を身体に押し当てて使用すると、身体のツボを刺激して心地良く感じるという効果もある。
【００５２】
また、健康器具１００は、外周が略楕円形であることから、椅子の背当てに立て掛けて使用する場合や床などの面に置いている時でも転がり難いという利点がある。
【００５３】
＜第二実施形態＞
図９は、第二実施形態に係る健康器具２００に関する図である。具体的には、図９（ａ）は、健康器具２００の正面図である。図９（ｂ）は、健康器具２００を正面右側から見た側面図である。図９（ｃ）は、健康器具２００を上側から見た平面図である。図１０は、健康器具２００の軸中心Ｏを通る面における断面図である。
【００５４】
これらの図に示すように、本実施形態に係る健康器具２００は、第一実施形態の健康器具１００と同様に、中軸部２１０と、複数の第一部材２０と、複数のスペーサー３０と、一対の第二部材２４０とから構成されている。所定厚みの略楕円形をした第一部材２０およびスペーサー３０には、外周楕円の中心を含む領域に中空部５０、６０が設けられており、かかる中空部５０、６０に中軸部２１０が挿入され、中軸部２１０の両端に第二部材２４０が接着固定された構造となっている。
【００５５】
このような健康器具２００は、第一実施形態の健康器具１００と同様に、スペーサー３０の働きで隣接する第一部材２０間の外周近傍に隙間Ｌが形成される。これにより、健康器具２００は、両端を近づける方向に曲げる（撓らせる）ことが容易となり、撓りが良くなる。また、このような特性を有する健康器具２００は、比較的どのような形状の椅子にもフィットし、ストレッチ効果が増すという効果を得ることができる。
【００５６】
なお、第一部材２０およびスペーサー３０の個数は限定されるものではなく、ストレッチ効果を得ることができる最適な個数を有していれば良い。
【００５７】
なお、本実施形態に係る健康器具２００は、中軸部２１０および第二部材２４０の形状やスペーサー３０が挟み込まれる位置など一部の構造が第一実施形態の健康器具１００と異なり、第一部材２０およびスペーサー３０の形状などは第一実施形態の健康器具１００と同様である。したがって、以下では、第一実施形態の健康器具１００と異なる部位を中心に説明し、同じ構成については同一の符号を付して詳細な説明を省略する。
【００５８】
図１１は、中軸部２１０の一例に関する図である。具体的には、図１１（ａ）は、中軸部２１０の正面図である。図１１（ｂ）は、中軸部２１０を正面右側から見た側面図である。図１１（ｃ）は、中軸部２１０を上側から見た平面図である。図示するように、本実施形態に係る健康器具２００の中軸部２１０は、芯部２１１のみから構成される。具体的には、中軸部２１０（芯部２１１）は、外周が略楕円の楕円柱である。
【００５９】
中軸部２１０の寸法は、芯部２１１の外周楕円の長軸が約４ｃｍ、短軸が約３ｃｍであり、軸方向の長さが約３２．５ｃｍである。ただし、これらの寸法は一例であって、特に限定されるものではない。
【００６０】
なお、中軸部１０の素材・材料は、前述の第一実施形態と同様であるため、説明を省略する。
【００６１】
図１２は、第二部材２４０の一例に関する図である。具体的には、図１２（ａ）は、第二部材２４０の正面図である。図１２（ｂ）は、第二部材２４０を正面右側から見た側面図である。図１２（ｃ）は、第二部材２４０を上側から見た平面図である。図１２（ｄ）は、第二部材２４０を正面左側から見た側面図である。図示するように、本実施形態に係る第二部材２４０は、外周が略楕円であって厚みの薄い楕円柱であり、中軸部２１０に接触する内側端面とは反対側の外表面が若干丸みを帯びた形状をしている。
【００６２】
第二部材２４０の寸法は、内側端面における長軸が約７．５ｃｍ、短軸が約５．５ｃｍである。また、外表面の頂点Ｒから内側端面までの垂線長さは約０．５ｃｍである。なお、これらの寸法は一例であって、特に限定されるものではない。
【００６３】
第二部材２４０の素材・材質は特に限定されないが、例えば軽量かつポリプロピレンよりも軟らかさのあるＰＥ（Ｐｏｌｙｅｔｈｙｌｅｎｅ）樹脂が用いられる。
【００６４】
このような第二実施形態に係る健康器具２００は、前述の通り、中軸部２１０は、第一部材２０および第一部材２０間に配置されたスペーサー３０の中空部５０、６０に挿入され、固着剤などを用いて両端が第二部材２４０に接着固定される。これにより、一対の第二部材２４０同士の間に第一部材２０とスペーサー３０とが挟み込まれて固定される。
【００６５】
なお、本実施形態に係る健康器具２００の使用方法については前述と同様であるため、詳細な説明は省略する。
【００６６】
このように、健康器具２００は、第一部材２０同士の間にスペーサー３０を介在させ、第一部材２０間の外周近傍に隙間Ｌを形成することで曲げが容易となり、撓りが良くなるという効果がある。
【００６７】
また、健康器具２００の両端は、中軸部２１０の両端に第二部材２４０を固着して固定するため、第二部材２４０の内側端面に略楕円球状の凹部７０を形成する必要がなく、製造工程を簡略化することができる。
【００６８】
なお、前述の実施形態では、健康器具１００を椅子に立て掛けて使用する方法を例に挙げて説明したが、健康器具１００の使用方法はこれに限られるものではなく、例えば床に置いて使用しても良いし、第一部材のエッジを身体に押し当てるようにして使用しても良い。
【００６９】
また、前述の実施形態では、外周形状が略楕円の第一部材２０およびスペーサー３０について説明したが、本発明はこれに限られるものではない。第一部材２０およびスペーサー３０の外周形状は略円形であって良い。
【００７０】
また、前述の実施形態では、楕円半球形の第二部材４０について説明したが、第二部材４０は略半球形であっても良い。
【００７１】
また、芯部１１の外周形状は略円形であっても良い。
【００７２】
また、第二部材２４０の外周形状は略円形であっても良い。
【００７３】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加、削除、置換をすることが可能である。
【符号の説明】
【００７４】
１００（２００）・・・健康器具、１０（２１０）・・・中軸部、１１（２１１）・・・芯部、１２・・・凸部、２０・・・第一部材、３０・・・スペーサー、４０・・・第二部材、Ｌ・・・隙間、５０、６０・・・中空部、７０・・・凹部
【図１】
2020096714.tif 000003
【図２】
2020096714.tif 000004
【図３】
2020096714.tif 000005
【図４】
2020096714.tif 000006
【図５】
2020096714.tif 000007
【図６】
2020096714.tif 000008
【図７】
2020096714.tif 000009
【図８】
2020096714.tif 000010
【図９】
2020096714.tif 000011
【図１０】
2020096714.tif 000012
【図１１】
2020096714.tif 000013
【図１２】
2020096714.tif 000014